(57)【要約】【課題】中綴じ製本工程における用紙の折り曲げを支援することである。【解決手段】中綴じ製本用の用紙１は、製本のためにステープルで綴じられ折り曲げられて折り目が形成される予定の部位にミシン目１ａが形成されている。【選択図】図１
2012066436.tif 000002
【特許請求の範囲】
【請求項１】
製本のためにステープルで綴じられ折り曲げられて折り目が形成される予定の部位には、その折れを容易化する加工が施されている中綴じ製本用の用紙。
【請求項２】
前記折れを容易化する加工として、前記折り目が形成される予定の部位に沿って複数の孔から構成されるミシン目が形成され、又は前記折り目が形成される予定の部位に沿って折り目が形成されている請求項１に記載の中綴じ製本用の用紙。
【請求項３】
前記加工が施されている部位は、前記折り目が形成される予定の部位の中央部分及び両端部分にそれぞれに互いに離れて設けられている請求項１又は２に記載の中綴じ製本用の用紙。
【請求項４】
前記折り目が形成される予定の部位における前記中央部分及び前記両端部分以外の前記加工が施されていない部位には、用紙の表裏面のうちの一方の面が凸形状となり他方の面が凹形状となる凹凸部が形成されている請求項３に記載の中綴じ製本用の用紙。
【発明の詳細な説明】
【技術分野】
【０００１】
本発明は、中綴じ製本用の用紙である。
【背景技術】
【０００２】
特許文献１には、ミシン目入りのコピー用紙が開示されている。
【先行技術文献】
【特許文献】
【０００３】
【特許文献１】実用新案登録第３００３６５１号公報
【発明の概要】
【発明が解決しようとする課題】
【０００４】
本発明の目的は、中綴じ製本工程における用紙の折り曲げを支援することである。
【課題を解決するための手段】
【０００５】
請求項１に係る発明は、製本のためにステープルで綴じられ折り曲げられて折り目が形成される予定の部位には、その折れを容易化する加工が施されている中綴じ製本用の用紙である。
請求項２に係る発明は、請求項１の記載において、前記折れを容易化する加工として、前記折り目が形成される予定の部位に沿って複数の孔から構成されるミシン目が形成され、又は前記折り目が形成される予定の部位に沿って折り目が形成されている中綴じ製本用の用紙である。
【０００６】
請求項３に係る発明は、請求項１又は２の記載において、前記加工が施されている部位は、前記折り目が形成される予定の部位の中央部分及び両端部分にそれぞれに互いに離れて設けられている中綴じ製本用の用紙である。
請求項４に係る発明は、請求項３の記載において、前記折り目が形成される予定の部位における前記中央部分及び前記両端部分以外の前記加工が施されていない部位には、用紙の表裏面のうちの一方の面が凸形状となり他方の面が凹形状となる凹凸部が形成されている中綴じ製本用の用紙である。
【発明の効果】
【０００７】
請求項１に係る発明によれば、中綴じ製本工程における用紙の折り曲げを支援することができる。
請求項２に係る発明によれば、このような構成がない場合と比較して、簡単な構成で折れの容易化を実現できる。
請求項３に係る発明によれば、折り目が形成される予定の部位における、中央部分及び両端部分以外のステープルの取付予定部分の強度を保つことができる。
【０００８】
請求項４に係る発明によれば、用紙を重ねた際に、一の用紙の凹凸部の凹内に、重ねた他の用紙の凹凸部の凸部が入り込むようになり、このような構成がない場合と比較して、用紙を揃える作業が軽減されるようになる。
【図面の簡単な説明】
【０００９】
【図１】第１の実施形態の中綴じ製本用用紙を示す図である。
【図２】中綴じ製本用用紙のミシン目を形成するミシン目形成装置の構成を示す図である。
【図３】中綴じ製本用用紙を用いて製本をする画像形成システムの構成の一例の示す図である。
【図４】中綴じ製本装置の各処理工程における中綴じ製本用用紙の状態を示す図である。
【図５】第２の実施形態の中綴じ製本用用紙を示す図である。
【図６】第３の実施形態の中綴じ製本用用紙を示す図である。
【図７】第３の実施形態の中綴じ製本用用紙であって、図７に示すＡ−Ａの断面の形状を示す図である。
【図８】第３の実施形態の中綴じ製本用用紙を重ねたときの状態の説明に用いた図である。
【図９】比較例を示す図である。
【図１０】他の比較例を示す図である。
【発明を実施するための形態】
【００１０】
先ず、第１の実施形態を説明する。
第１の実施形態は、中綴じ製本用用紙である。
図１は、第１の実施形態の中綴じ製本用用紙１を示す。
図１に示すように、中綴じ製本用用紙１には、長辺方向（長辺に沿う方向）における略中間部位にミシン目１ａが形成されている。ミシン目１ａは、短辺方向（短辺に沿う方向）における両端部間にわたって一列に形成された複数の微細な孔により構成されている。
【００１１】
図２は、中綴じ製本用用紙１のミシン目１ａを形成するミシン目形成装置１０の構成を示す。
図２に示すように、ミシン目形成装置１０は、互いに接離可能となるように支持されている第１及び第２の円盤状部材（クレーサ）１１ａ，１１ｂを電磁弁原理を利用して駆動するように構成されている。
【００１２】
すなわち、第１の円盤状部材１１ａは、その外周面に微細な尖形の突部が一定間隔で形成されている。この第１の円盤状部材１１ａは、棒状の支持部材１１ｄの一端部に回転自在に支持されている。支持部材１１ｄは、その途中が不図示の固定部に対して回転自在に支持されており、その他端部に電磁弁１１ｃの駆動部材が取り付けられている。そして、２つの円盤状部材１１ａ，１１ｂは、それぞれ用紙搬送路の上下に配置されている。
【００１３】
このようなミシン目形成装置１１は、電磁弁１１ｃがオンされると、図２（ａ）から（ｂ）への変化として示されるように、第１の円盤状部材１１ａが第２の円盤状部材１１ｂに接触するようになるため、その間を通過する中綴じ製本用用紙１に微細な孔が形成されるようになる。
図３は、このような中綴じ製本用用紙１を用いて製本をする画像形成システム２０の構成の一例を示す。
【００１４】
図３に示すように、画像形成システム２０は、画像形成装置２１、スタッカ２２、中綴じ製本装置２３、及び裁断装置２４を有する。
画像形成装置２１は、画像データを基に印刷媒体となる用紙に画像を形成する。例えば、画像形成装置２１は、電子写真方式、インクジェット方式、又は、その他の印刷方式により、その装置内を搬送する用紙上に画像形成を行う。画像形成装置２１は、画像形成をした用紙を後段のスタッカ２２に送り出す。
【００１５】
スタッカ２２は、画像形成装置２１から送られてきた用紙をスタックトレイ２２ａ又は２２ｂに積み重ね溜める。用紙を中綴じ製本する場合は、用紙搬送路を切り替えゲートでバイパス２２ｃに切り替え、後段の中綴じ製本装置２３に送り出す。
中綴じ製本装置２３は、用紙揃え部２３ａ、ステープル綴じ部２３ｂ、及び用紙折り曲げ部２３ｃを有する。
【００１６】
中綴じ製本装置２３では、用紙揃え部２３ａは、用紙揃え工程として、スタッカ２２から送られてきた用紙を揃える。例えば、用紙揃え部２３ａは、用紙束の４方向の端面を押さえ部材で押されて用紙束を揃える。
さらに、ステープル綴じ部２３ｂは、用紙綴じ工程として、用紙揃え工程で揃えられた用紙束の、ミシン目１ａが形成されている中間部位をステープルで綴じる。
【００１７】
なお、図３では、用紙揃え部２３ａからステープル綴じ部２３ｂに原稿束が移動するようになっているが、同一箇所に用紙揃え部２３ａ及びステープル綴じ部２３ｂを備えて、用紙揃え部２３ａで保持した状態の用紙束をステープルで綴じることもできる。
そして、用紙折り曲げ部２３ｃは、用紙折り曲げ工程として、用紙綴じ工程で綴じられた用紙束の、ステープルで綴じられミシン目１ａが形成されている中間部位にナイフの形状をした折り曲げ用工具を当てて用紙束を折り曲げる。
【００１８】
中綴じ製本装置２３は、以上のようにして折り曲げられた用紙束を裁断装置２４に送り出す。
裁断装置２４は、中綴じ製本装置２３から送られてきた中綴じされた用紙束の小口を裁断用刃物２４ａにより裁断する。
図４は、中綴じ製本装置２３の各処理工程における中綴じ製本用用紙１の状態を示す。
【００１９】
図４（ａ）に示す画像形成装置２１から送り出されてきた中綴じ製本用用紙１は、用紙揃え工程に搬送される。用紙揃え工程は、図４（ｂ）に示すように、用紙束２の端面を揃えて、用紙中綴じ工程に供給する。用紙中綴じ工程は、図４（ｃ）に示すように、用紙束２を、その搬送方向における中間部位（ミシン目１ａが形成されている中間部位）の２箇所をステープル３１で綴じ、用紙折り曲げ工程に供給する。用紙折り曲げ工程は、図４（ｄ）に示すように、用紙束２の中間部位（ステープル３１で綴じられミシン目１ａが形成されている中間部位）に折り曲げ用工具を押し込んで用紙束２を折り曲げる。
【００２０】
以上のように、中綴じ製本用用紙１は、製本のためにステープル３１で綴じられ折り曲げられて折り目が形成される予定の中間部位にミシン目１ａが形成されている。
このミシン目１ａにより中綴じ製本工程における折り曲げが容易に実現できるよう、中綴じ製本用用紙１は、中綴じ製本工程における用紙の折り曲げを支援することができる。
さらに、中綴じ製本用用紙１は、ミシン目１ａにより折れの容易化を実現しており、このような構成がない場合と比較して、簡単な構成で折れを容易化できる。
【００２１】
次に第２の実施形態を説明する。
図５（ａ）は、第２の実施形態の中綴じ製本用用紙４を示す。
図５（ａ）に示すように、中綴じ製本用用紙４には、長辺方向における略中間部位にミシン目４ａが形成されている。第２の実施形態では、ミシン目４ａは、短辺方向に沿うように形成されているものの、その途中が途切れた状態になっている。すなわち、ミシン目４ａは、短辺方向において、用紙両端部分及び中央部分に互いに離れて複数設けられている。
【００２２】
これにより、中綴じ製本装置２３の用紙綴じ工程では、図５（ｂ）に示すように、中綴じ製本用用紙４には、ミシン目４ａが形成されていない部位に、該ミシン目４ａと並ぶようにステープル３１が取り付けられるようになる。
以上のような第２の実施形態の中綴じ製本用用紙４は、中綴じ製本工程における用紙の折り曲げを支援するとともに、折り目が形成される予定の部位における、中央部分及び両端部分以外のステープル３１の取付予定部分の強度を保つことができる。
【００２３】
次に第３の実施形態を説明する。
図６は、第３の実施形態の中綴じ製本用用紙６を示す。
図６に示すように、中綴じ製本用用紙６には、長辺に沿う方向における略中間部位にミシン目５ａが形成されている。第３の実施形態では、ミシン目６ａは、短辺方向に沿うように形成されているものの、その途中が途切れた状態になっている。すなわち、ミシン目６ａは、短辺方向において、用紙両端部分及び中央部分に互いに離れて複数設けられている。
【００２４】
そして、第３の実施形態の中綴じ製本用用紙６では、ミシン目６ａが形成されていない部位（以下、非形成部位という。）にステープル取り付け部６ｂが形成されている。ステープル取り付け部６ｂは、用紙の表裏面のうちの一方の面が凸形状となり他方の面が凹形状となる凹凸部となっている。
図７は、中綴じ製本用用紙６における図６に示すＡ−Ａの断面の形状を示す。
【００２５】
図７に示すように、ステープル取り付け部６ｂは、中綴じ製本用用紙６におけるステープル取り付け部６ｂの非形成部位６ｃと略平行となる部位（底部又は天井部）６ｂ１と、該部位６ｂ１と非形成部位６ｃとを傾斜して接続する接続部６ｂ２とから構成され、断面が略台形形状になっている。
【００２６】
以上のような第３の実施形態の中綴じ製本用用紙６は、中綴じ製本工程における用紙の折り曲げを支援することができる。さらに、図８に示すように、第３の実施形態の中綴じ製本用用紙６は、用紙を重ねた際に、一の用紙の凹凸部の凹内（溝内）に、重ねた他の用紙の凹凸部の凸部が入り込むようになり、このような構成がない場合と比較して、用紙を揃える作業を軽減させることができる。すなわち、中綴じ製本用用紙６は、他の中綴じ製本用用紙６に重ねただけで位置決めされるようになる。
【００２７】
図９及び図１０は、第３の実施形態の中綴じ製本用用紙６に対する比較例を示す。
図９は、ステープル取り付け部６ｂに対応する部位の断面が略三角形状の比較例である。図９（ａ）に示すような断面が略三角形状となる中綴じ製本用用紙では、図９（ｂ）に示すように、その三角形状部位で重ねて用紙を揃えることができる。しかし、ステープルの取り付け位置がその頂点からずれてしまうと、そのずれが目立ってしまうことになる。しかし、第３の実施形態の中綴じ製本用用紙６では、ステープル取り付け部６ｂが平面となる部位６ｂ１を有するため、そのようなことを防止できる。
【００２８】
また、図１０は、ステープル取り付け部６ｂに対応する部位の断面が略長方形又は四角形の比較例である。図１０（ａ）に示すような断面が略長方形又は正方形となる中綴じ製本用用紙では、図１０（ｂ）に示すように、その略長方形又は正方形の部位を重ねることが困難となる。その結果、用紙を揃えることが困難となる。しかし、第３の実施形態の中綴じ製本用用紙６では、ステープル取り付け部６ｂが傾斜する接続部６ｂ２を有するため、ステープル取り付け部６ｂで容易に重ねることができ、用紙を容易に揃えることができる。
【００２９】
なお、本実施形態の変形例として次のようなものが挙げられる。
中綴じ製本用用紙には、折れを容易化する加工として、折り目が形成される予定の部位に沿って直線状の折り目を形成することもできる。これにより、中綴じ製本用用紙は、このような構成がない場合と比較して、簡単な構成で折れを容易化できる。
また、製本のためにステープルで綴じられ折り曲げられて折り目が形成される予定の部位は、中綴じ製本用用紙の幅方向の中間部位に限定されるものではない。すなわち、製本の態様等により、中綴じ製本用用紙の幅方向の中間部位以外の部位とすることもできる。
【００３０】
さらに、そのような中間部位は長辺方向における中間部位に限定されるものではなく、製本の態様等により、短辺方向における中間部位とすることもできる。
【符号の説明】
【００３１】
１，４，６  中綴じ製本用用紙、１ａ，４ａ，６ａ  ミシン目
【図１】
2012066436.tif 000003
【図２】
2012066436.tif 000004
【図３】
2012066436.tif 000005
【図４】
2012066436.tif 000006
【図５】
2012066436.tif 000007
【図６】
2012066436.tif 000008
【図７】
2012066436.tif 000009
【図８】
2012066436.tif 000010
【図９】
2012066436.tif 000011
【図１０】
2012066436.tif 000012